(57)【要約】【課題】  大画面の立体像を低コストで表示できる投射型表示装置を提供する。【解決手段】  縦方向Ｙ及び横方向Ｘに並べられた複数の画素Ｑと、複数の画素Ｑを複数の画素群１６に分割して駆動する駆動回路７と、複数の画素群１６のそれぞれに対向して設けられていて各画素Ｑの光像を視角的に異なる方向へ導くマイクロレンズ１４と、マイクロレンズ１４からの出射光を拡大する投写レンズとを有する投射型表示装置である。マイクロレンズ１４を通して画素Ｑを視覚によって認識できる角度範囲である画素認識可能角度を『Ａ』とし、投写レンズが光を集めて拡大できる角度範囲である飲み込み角度を『Ｂ』とするとき、Ａ≦Ｂに設定して投射型表示装置を構成する。１つ又は数個の液晶パネルや有機ＥＬパネルだけで大画面の立体像を表示できるので低コストにできる。【選択図】        図２
2005062626.tif 000002
【特許請求の範囲】
【請求項１】
縦方向及び横方向に並べられた複数の画素と、
前記複数の画素を複数の画素群に分割して駆動する駆動手段と、
前記複数の画素群のそれぞれに対向して設けられて対応する画素群における各画素の光像を視角的に異なる方向へ導く視角方向規制手段と、
前記視角方向規制手段からの出射光を拡大する投写レンズとを有し、
前記視角方向規制手段を通して視覚によって前記画素を認識可能な角度範囲である画素認識可能角度をＡとし、前記投写レンズが光を集めて拡大できる角度範囲である飲み込み角度をＢとするとき、
Ａ≦Ｂ
であることを特徴とする投射型表示装置。
【請求項２】
請求項１において、前記複数の画素は光を透過する透過型であり、該複数の画素へ光を供給する光源をさらに設けたことを特徴とする投射型表示装置。
【請求項３】
請求項１において、前記複数の画素は自発光機能を有することを特徴とする投射型表示装置。
【請求項４】
請求項１から請求項３の少なくともいずれか１つにおいて、前記視角方向規制手段はマイクロレンズ又はピンホールであることを特徴とする投射型表示装置。
【請求項５】
請求項１から請求項４の少なくともいずれか１つにおいて、前記複数の画素は、縦方向及び横方向に直線の列状に並べられることを特徴とする投射型表示装置。
【請求項６】
請求項１から請求項４の少なくともいずれか１つにおいて、前記複数の画素は、横方向に関して互いに重ならないようにずらせて並べられることを特徴とする投射型表示装置。
【発明の詳細な説明】
【技術分野】
【０００１】
本発明は、スクリーン上に像を投影して表示する投射型表示装置に関する。
【背景技術】
【０００２】
従来、インテグラルフォトグラフィを用いた立体表示装置が知られている（例えば、特許文献１参照）。このインテグラルフォトグラフィは、例えばハエの目レンズ、すなわちフライアイ・レンズ、すなわち複眼レンズを用いて立体表示を行う方法である。この方法では、例えば、観察側から見てハエの目レンズの後方に複数の画素群を平面的に並べ、各画素群内には複数の画素を平面的に並べ、ハエの目レンズを見る方向を変えると、見ることのできる画素が変化する。この装置において、正面から見たときには正面から見た絵が表示されている複数の画素が選択され、斜めから見たときには斜めから見た絵が表示されている複数の画素が選択されるようにすれば、観察者の右眼と左眼とに映る映像に変化を持たせることができ、それ故、立体像を表示することができる。
【０００３】
特許文献１に開示された立体表示装置では、垂直方向拡散板、すなわち縦方向拡散板を用いることにより画素群内の各画素の配置を工夫し、１つの画素群内に多くの画素を設けることが可能となった。個々の画素は個々の斜め角度から見た表示に対応しており、画素群内の画素が多いことは正面から斜めに視点を移動する際に多くの中間の表示が存在するということであり、これにより、立体像を滑らかに変化させることを可能にしている。
【０００４】
【特許文献１】特開２００３−１４００８３号公報（第５頁、図１）
【発明の開示】
【発明が解決しようとする課題】
【０００５】
しかしながら、上記従来の立体表示装置は、実用的な大きさの像を形成するために数多くの画素、すなわち数多くの液晶パネルを必要とし、それに対応して大きなハエの目レンズを必要とし、それ故、コストが高いという問題点を有していた。
【０００６】
本発明は、上記の問題点に鑑みて成されたものであって、大画面の立体像を低コストで表示できる投射型表示装置を提供することを目的とする。
【課題を解決するための手段】
【０００７】
上記の目的を達成するため、本発明に係る投射型表示装置は、縦方向及び横方向に並べられた複数の画素と、前記複数の画素を複数の画素群に分割して駆動する駆動手段と、前記複数の画素群のそれぞれに対向して設けられていて各画素の光像を視角的に異なる方向へ導く視角方向規制手段と、前記視角方向規制手段からの出射光を拡大する投写レンズとを有し、前記視角方向規制手段を通して前記画素を視覚によって認識できる角度範囲である画素認識可能角度を『Ａ』とし、前記投写レンズが光を集めて拡大できる角度範囲である飲み込み角度を『Ｂ』とするとき、Ａ≦Ｂであることを特徴とする。
【０００８】
この投射型表示装置において、前記複数の画素と、前記駆動手段と、前記視角方向規制手段とによって構成される光学系は、インテグラルフォトグラフィ装置と呼ばれることがある。このインテグラルフォトグラフィ装置は、左眼と右眼に見える横方向の画像の違いから立体像を表示する装置である。
【０００９】
上記複数の画素は、例えば液晶パネル、有機ＥＬパネルによって構成することが望ましい。液晶パネルでは、液晶層を一対の電極で挟むことによって形成されるが、これら一対の電極を透明導電材料によって形成すれば、透過型の画素を形成できる。また、有機ＥＬパネルによって画素を形成すれば、自発光型の画素を形成できる。
【００１０】
上記駆動手段は、液晶パネルや有機ＥＬパネルを駆動する駆動回路によって構成され、例えば液晶パネルによって構成された場合、この駆動回路は複数の画素に選択的に所定の駆動電圧を印加することにより、液晶パネルの光出射側に希望の光像を形成する。この光像は視角方向規制手段により所定の視角方向へ導かれ、投写レンズへ送られる。
【００１１】
本発明では、前記視角方向規制手段を通して前記画素を視覚によって認識できる角度範囲である画素認識可能角度を『Ａ』とし、前記投写レンズが光を集めて拡大できる角度範囲である飲み込み角度を『Ｂ』とするとき、Ａ≦Ｂに設定したので、視角方向規制手段から投写レンズへ供給された光は、必ず投写レンズの飲み込み角度内に入っており、それ故、その光は投写レンズによって確実に拡大されて、スクリーン又は空間中に拡大像として投影され、観察者によって視認される。このように、本発明によれば、液晶パネル等を有するインテグラルフォトグラフィ装置、すなわちライトバルブを数多く使用する必要が無く、それ故、簡単な構造且つ低コストで大画面の立体表示を行うことができる。
【００１２】
上記構成の本発明に係る投射型表示装置において、前記複数の画素は光を透過する透過型とすることができ、その場合には、該複数の画素へ光を供給する光源をさらに設けることが望ましい。このような透過型の画素は、例えば透過型の液晶パネルによって構成できる。また、前記複数の画素はそれ自身で発光する機能、すなわち自発光機能を有することが望ましい。このような自発光型の画素は、例えば有機ＥＬパネルによって構成できる。
【００１３】
上記構成の本発明に係る投射型表示装置において、前記視角方向規制手段はマイクロレンズ又はピンホールであることが望ましい。ここで、マイクロレンズとは、例えば図８（ａ）に符号１４で示すように、視認対象物例えば画素Ｑのうちの１つを見る方向に応じて変化させることのできるレンズである。例えば、図８（ａ）では、見る方向をＡ１，Ａ２，Ａ３，Ａ４，Ａ５のように変化させると、見える画素がＱａ，Ｑｂ，Ｑｃ，Ｑｄ，Ｑｅのように変化するような機能を持ったレンズである。また、ピンホールとは、例えば図８（ｂ）に符号２９で示すように、見る角度Ａ１，Ａ２，Ａ３，Ａ４，Ａ５に応じて見える画素Ｑａ，Ｑｂ，Ｑｃ，Ｑｄ，Ｑｅを１つに制限するものである。
【００１４】
上記構成の本発明に係る投射型表示装置において、前記複数の画素は、縦方向及び横方向に直線の列状に並ぶ、いわゆるマトリクス状に設けられることが望ましい。あるいは、前記複数の画素は、横方向に関して互いに重なり合わないように、ずらせて並べることが望ましい。複数の画素を横方向にずらせて配列すれば、少ない面積内で多数の画素を横方向に並べることができ、それ故、横方向に関する立体像の表示を滑らかにすることができる。
【発明を実施するための最良の形態】
【００１５】
（第１実施形態）
以下、本発明に係る投射型表示装置をその一例を挙げて説明する。図１は、本発明に係る投射型表示装置の一実施形態を示している。ここに示す投射型表示装置１Ａは、光源２と、インテグレータレンズ３と、偏光変換素子４と、透過型インテグラルフォトグラフィ装置６と、投写レンズ８と、スクリーン９とを有する。インテグラルフォトグラフィ装置６は液晶パネル１３を内蔵しており、その液晶パネル１３の動作はパネル駆動回路７によって制御される。
【００１６】
光源２は、ランプ１１及び放物面鏡１２を有する。ランプ１１としては、超高圧水銀ランプ等といった高輝度ランプを用いることが望ましい。インテグレータレンズ３は、インテグラルフォトグラフィ装置６内の液晶パネル１３をできるだけ均一に照明できるレンズであることが望ましい。さらに、偏光変換素子４は、光の偏光方向を揃えることにより光の利用効率を上げるように機能することが望ましい。光源２、インテグレータレンズ３及び偏光変換素子４を以上のように構成することにより、明るくて高精細な像を表示することができる。
【００１７】
インテグラルフォトグラフィ装置６は、図２に示すように、液晶パネル１３と、視角方向規制手段としてのマイクロレンズ１４とを有する。液晶パネル１３は、周知の通り、互いに対向する一対の電極の間に電気光学物質としての液晶を層として配置させた構造を有する。一対の電極が平面的に重なり合う領域が表示用ピクセル、すなわち表示用ドットＤであり、Ｒ（赤），Ｇ（緑），Ｂ（青）の３色によってカラー表示を行う場合には、Ｒ表示用ドット、Ｇ表示用ドット及びＢ表示用ドットの３つの表示用ドットＤによって１つの画素Ｑが形成される。
【００１８】
複数の表示用ドットＤは縦方向Ｙ及び横方向Ｘの両方向に沿ってドット・マトリクス状、すなわち直線の列状に並べられ、これら複数の表示用ドットＤによって有効表示領域が形成されている。パネル駆動回路７は個々の表示用ドットＤを構成する一対の電極に所定の電圧を印加するか、あるいは、印加しないかを制御し、所定の偏光を透過する状態と、透過しない状態とを表示ドット単位、換言すれば画素単位で制御する。これにより、液晶パネル１３の光出射側の面に希望する光像を形成できる。なお、図２では１つの表示用ドットＤを分かり易く示すために大きく描いてあるが、実際には、表示用ドットＤは非常に微小な領域である。
【００１９】
パネル駆動回路７は、液晶パネル１３の有効表示領域内を複数の画素群１６に分割した状態で像を形成できるようになっている。個々の画素群１６内には、図２（ａ）に示すように、複数の画素Ｑが縦横にマトリクス状に、すなわち縦方向及び横方向のいずれにも直線状に配列されている。なお、画素Ｑは、Ｒ，Ｇ，Ｂの３つの表示用ドットＤの組み合わせによって形成されている。
【００２０】
各画素群１６の光出射側の面に設けられたマイクロレンズ１４は、図８（ａ）に示すように、当該マイクロレンズ１４を見る方向に応じて、見ることのできる画素を複数の画素Ｑａ〜Ｑｅの中から選択できるレンズである。例えば、図８（ａ）では、見る方向をＡ１，Ａ２，Ａ３，Ａ４，Ａ５のように変化させると、見える画素がＱａ，Ｑｂ，Ｑｃ，Ｑｄ，Ｑｅのように変化するような機能を持ったレンズである。
【００２１】
図２（ａ）に示す実施形態においては、観察者が視線を矢印Ｅのように水平面内で移動させると、マイクロレンズ１４の働きにより、観察者によって視認できる画素Ｑは水平線Ｆに沿って変化する。この現象は、図２の液晶パネル１３の有効表示領域内に在る複数の画素群１６のそれぞれについて同じことである。従って、矢印Ｅのように視線を移動させる観察者の目は、全ての画素群１６内におけるマイクロレンズ１４によって選択された位置の画素Ｑを視認することになる。パネル駆動回路７は、それら選択された複数の画素Ｑによって形成されるフレーム領域内に希望の像を形成するように液晶パネル１３を駆動する。このようにして水平視線Ｅ内における異なる視線角度位置Ｓ０，Ｓ１，Ｓ２，Ｓ４，……に異なる像を表示して、それらの像を観察者の右眼及び左眼によって視認させることにより、立体像を表示することができる。
【００２２】
図１において、光の進行路に沿ってインテグラルフォトグラフィ装置６の下流位置に配設された投写レンズ８は、インテグラルフォトグラフィ装置６の光出射側の面に形成された光像、本実施形態の場合はカラー像を拡大してスクリーン９上に投影する。観察者は、スクリーン９上に投影された像を観察できる。この場合、インテグラルフォトグラフィ装置６の光出射面に表示される像は立体像であるので、スクリーン９上に表示される像も観察者によって立体像として認識される。
【００２３】
ところで、図２において、インテグラルフォトグラフィ装置６のマイクロレンズ１４を通して画素Ｑを視覚によって認識できる角度範囲は一定の角度範囲に限定される。本明細書では、このような角度範囲をインテグラルフォトグラフィ装置６における画素認識可能角度を『Ａ』と呼ぶことにする。また、図１において、投写レンズ８が光を集めて拡大できる角度範囲は一定の角度範囲に限定される。本明細書では、このような角度範囲を飲み込み角度を『Ｂ』と呼ぶことにする。
【００２４】
本実施形態では、インテグラルフォトグラフィ装置６における画素認識可能角度Ａと、投写レンズ８に関する飲み込み角度Ｂとの関係を、図３に示すように、
Ａ≦Ｂ
のように設定してある。これにより、図１の投射型表示装置１Ａによれば、インテグラルフォトグラフィ装置６から投写レンズ８へ供給された光は、必ず投写レンズ８の飲み込み角度内に入っており、それ故、その光は投写レンズ８によって確実に拡大されて、スクリーン又は空間中に拡大像として投影される。また、本実施形態によれば、液晶パネル１３を多数個使用することなく、１つの液晶パネル１３だけによって大きな像を表示することができる。
【００２５】
（第２実施形態）
図４は、本発明に係る投射型表示装置の他の実施形態を示している。この実施形態は、いわゆる３板式の投射型表示装置に本発明を適用した場合の実施形態である。ここに示す投射型表示装置１Ｂは、光供給系２１と、画像形成系２２とを有する。光供給系２１は、光源２と、２つのインテグレータレンズ３ａ，３ｂと、偏光変換素子４と、反射鏡２３ａとを有する。これらの要素において、図１と同一符号で示すものは同一の要素である。光源２は、白色光を放射するランプ１１と、ランプ１１からの光を反射する放物面鏡１２とを有する。インテグレータレンズ３ａ，３ｂは、図１のインテグレータレンズ３と同様に照明対象物の全面を均一に照明する機能を有する。
【００２６】
画像形成系２２は、ダイクロイックミラー２４ａと、ダイクロイックミラー２４ｂと、反射鏡２３ｂ，２３ｃ，２３ｄとを有する分光光学系を有する。ダイクロイックミラー２４ａは、Ｒ（赤）色光を透過しその他の波長の光を反射する。また、ダイクロイックミラー２４ｂは、Ｂ（青）色光を透過しＧ（緑）色光を反射する。
【００２７】
また、画像形成系２２は、レンズ２６ａ，２６ｂ，２６ｃと、透過型インテグラルフォトグラフィ装置６ｒ，６ｇ，６ｂと、ダイクロイックプリズム２７とを有する。各インテグラルフォトグラフィ装置６ｒ，６ｇ，６ｂには、それらの中に内蔵される液晶パネル１３ｒ，１３ｇ，１３ｂを駆動するパネル駆動回路７ｒ，７ｇ，７ｂがそれぞれに接続されている。
【００２８】
透過型インテグラルフォトグラフィ装置６ｒ，６ｇ，６ｂの構成は先の実施形態で用いた図２に示すインテグラルフォトグラフィ装置６と同じである。但し、本実施形態では、インテグラルフォトグラフィ装置６ｒに接続されたパネル駆動回路７ｒはＲ色に対応する光像を形成するように液晶パネル１３ｒを駆動する。また、インテグラルフォトグラフィ装置６ｇに接続されたパネル駆動回路７ｇはＧ色に対応する光像を形成するように液晶パネル１３ｇを駆動する。また、インテグラルフォトグラフィ装置６ｂに接続されたパネル駆動回路７ｂはＢ色に対応する光像を形成するように液晶パネル１３ｂを駆動する。
【００２９】
ダイクロイックプリズム２７は３つの光入力口を有し、各インテグラルフォトグラフィ装置６ｒ，６ｇ，６ｂから出力されるＲ，Ｇ，Ｂの各色の光像をそれらの光入力口から内部へ取り込む。取り込まれた各色光はダイクロイックプリズムによって合成されて、出力口から出力される。
【００３０】
図４において、光の進行路に沿って画像形成系２２の下流位置には投写レンズ８が配設され、さらにその下流位置にスクリーン９が配設されている。ダイクロイックプリズム２７から出たＲ，Ｇ，Ｂの合成光は投写レンズ８によって拡大されてスクリーン９上に投影される。こうして、観察者は、スクリーン９上に投影されたカラー像を観察できる。
【００３１】
本実施形態では、ライトバルブとしてのインテグラルフォトグラフィ装置６ｒ，６ｇ，６ｂが図２のように構成される。つまり、液晶パネル１３が複数の画素群１６によって構成され、各画素群１６に対応してマイクロレンズ１４が設けられ、マイクロレンズ１４を見る角度を変えたときに異なる映像が観察者の右目及び左目に視認されるように各画素群１６内の各画素Ｑを駆動する。これにより、図４において、スクリーン９上にカラーの立体像を大きく拡大させて観察者に表示できる。その場合に必要となる液晶パネルの数は、Ｒ，Ｇ，Ｂのそれぞれに対応した３個だけで済む。
【００３２】
ところで、本実施形態で用いられる図２のインテグラルフォトグラフィ装置６ｒ，６ｇ，６ｂに含まれるマイクロレンズ１４を通して画素Ｑを視覚によって認識できる角度範囲、すなわち画素認識可能角度は特定の範囲となる。今、この画素認識可能角度を『Ａ』とする。一方、図４に示した投写レンズ８は、その光学的な特性上から、光を集めて拡大できる角度範囲、いわゆる飲み込み角度が特定の範囲に決められる。今、この飲み込み角度を『Ｂ』とする。
【００３３】
本実施形態では、インテグラルフォトグラフィ装置６ｒ，６ｇ，６ｂにおける上記の画素認識可能角度Ａと、投写レンズ８に関する上記の飲み込み角度Ｂとの関係を、図３に示すように、
Ａ≦Ｂ
のように設定してある。これにより、図４に示す本実施形態の投射型表示装置１Ｂによれば、インテグラルフォトグラフィ装置６ｒ，６ｇ，６ｂのマイクロレンズ１４から投写レンズ８へ供給された光は、必ず投写レンズ８の飲み込み角度内に入っており、それ故、その光は投写レンズ８によって確実に拡大されて、スクリーン又は空間中に拡大像として投影される。
【００３４】
（第３実施形態）
図５は、本発明に係る投射型表示装置のさらに他の実施形態で用いられるインテグラルフォトグラフィ装置を示している。なお、投射型表示装置の全体的な構成は、図１に示す単板式の投射型表示装置１Ａや、図４に示す３板式の投射型表示装置１Ｂとすることができる。
【００３５】
図２に示した先の実施形態に係るインテグラルフォトグラフィ装置６では、液晶パネル１３の光出射側に視角方向規制手段としてマイクロレンズ１４を配設した。これに対し、図５に示す本実施形態に係るインテグラルフォトグラフィ装置６Ａでは、マイクロレンズ１４に代えてピンホール板２８が用いられている。ピンホール板２８には、個々の画素群１６の中心部分に対応させてピンホール、すなわち微小穴２９が複数個、形成されている。
【００３６】
ピンホール２９は、例えば図８（ｂ）に示すように、見る角度Ａ１，Ａ２，Ａ３，Ａ４，Ａ５に対応させて、見える画素Ｑａ，Ｑｂ、Ｑｃ，Ｑｄ，Ｑｅを１つに制限するものである。図５（ａ）に示す実施形態においては、観察者が視線を矢印Ｅのように水平面内で移動させると、ピンホール２９の働きにより、観察者によって視認できる画素Ｑは水平線Ｆに沿って変化する。この現象は、図５の液晶パネル１３の有効表示領域内に在る複数の画素群１６のそれぞれについて同じことである。従って、矢印Ｅのように視線を移動させる観察者の目は、全ての画素群１６内におけるピンホール２９によって選択された位置の画素Ｑを視認することになる。パネル駆動回路７は、それら選択された複数の画素Ｑによって形成されるフレーム領域内に希望の像を形成するように液晶パネル１３を駆動する。このようにして水平視線Ｅ内における異なる視線角度位置Ｓ０，Ｓ１，Ｓ２，Ｓ４，……に異なる像を表示して、それらの像を観察者の右眼及び左眼によって視認させることにより、立体像を表示することができる。
【００３７】
（第４実施形態）
図６は、本発明に係る投射型表示装置のさらに他の実施形態で用いられるインテグラルフォトグラフィ装置を示している。なお、投射型表示装置の全体的な構成は、図１に示す単板式の投射型表示装置１Ａや、図４に示す３板式の投射型表示装置１Ｂとすることができる。
【００３８】
図２に示したインテグラルフォトグラフィ装置６や図５に示したインテグラルフォトグラフィ装置６Ａでは、液晶パネル１３において、表示用ドットＤすなわち画素Ｑを列方向Ｙ及び行方向Ｘの両方向へ直線の列状に並べて配置した。すなわち、複数の画素Ｑはドット・マトリクス状に配列されていた。これに対し、図６に示すインテグラルフォトグラフィ装置６Ｂでは、図６（ａ）に示すように、複数の画素Ｑが個々の画素群１６内で横方向Ｆに関して互いに重ならないようにずらせて配列されている。
【００３９】
このような画素配列によれば、特開２００３−１４００８３号に説明されているように、横方向Ｆに関して画素Ｑを隙間を開けることなく連続して配置でき、それ故、横方向に表示できる画像の数を増加させることができ、このため、滑らかな立体像を表示できる。なお、この実施形態では、各画素Ｑに対応する投影像を横方向Ｆに直交する縦方向に拡大するために、図１の投射型表示装置１Ａや図４の投射型表示装置１Ｂにおいて、インテグラルフォトグラフィ装置６，６ｒ，６ｇ，６ｂからスクリーン９へ至る光路上に縦方向拡散板を配設することが望ましい。
【００４０】
（第５実施形態）
図７は、本発明に係る投射型表示装置のさらに他の実施形態で用いられるインテグラルフォトグラフィ装置を示している。なお、投射型表示装置の全体的な構成は、図１に示す単板式の投射型表示装置１Ａや、図４に示す３板式の投射型表示装置１Ｂとすることができる。
【００４１】
本実施形態に係るインテグラルフォトグラフィ装置６Ｃでは、図６に示した実施形態と同様に、複数の画素Ｑが個々の画素群１６内で横方向Ｆに関して互いに重ならないようにずらせて配列されている。これにより、横方向Ｆに関する立体表示の滑らかさを向上させている。この実施形態においても、図１や図４において、インテグラルフォトグラフィ装置６，６ｒ，６ｇ，６ｂからスクリーン９へ至る光路上に縦方向拡散板を配設することが望ましい。
【００４２】
さらに本実施形態では、液晶パネル１３とマイクロレンズ１４との間にレンズ板３１及びピンホール板３２を介在させている。レンズ板３１には、各画素Ｑに対応させて複数のレンズ３３が設けられ、これらのレンズ３３により複数の画素Ｑ間における光の干渉、すなわちクロストークを防止する。また、ピンホール板３２には各画素Ｑに対応させて複数のピンホール、すなわち微小開口３４が設けられ、これらのピンホール３４により各画素に余分な光が入ってくることを防止する。このように、レンズ板３１及びピンホール板３２を配置することにより、鮮明な立体像を表示できるようになる。
【００４３】
（第６実施形態）
図９は、本発明に係る投射型表示装置のさらに他の実施形態を示している。この実施形態は、自発光型のインテグラルフォトグラフィ装置を備えた投射型表示装置である。本実施形態の投射型表示装置１Ｃは、自発光型のインテグラルフォトグラフィ装置６Ｄと、投写レンズ８と、スクリーン９とを有する。
【００４４】
インテグラルフォトグラフィ装置６Ｄは、例えば図１０に示すように、有機ＥＬパネル４３と、視角方向規制手段としてのピンホール板２８とを有する。有機ＥＬパネル４３は、周知の通り、有機ＥＬを一対の電極で挟み、それらの電極によって有機ＥＬに画素ごとに所定の電圧を印加することにより、有機ＥＬを発光させるものである。各画素への印加電圧はパネル駆動回路７によって供給される。１つの発光点が表示用ピクセル、すなわち表示用ドットである。表示用ドットとしてＲ，Ｇ，Ｂのうちの１色を発光できるもの３種類を用意し、それらＲ，Ｇ，Ｂの３つの集まりによって１画素を形成すれば、１画素中のＲ，Ｇ，Ｂ各色を適宜の階調値で発光させることにより、カラー表示を行うことができる。
【００４５】
なお、本実施形態では、視角方向規制手段としてピンホール２９を備えたピンホール板２８を用いたが、このピンホール板２８に代えて図２のマイクロレンズ１４を用いることもできる。
【００４６】
（第７実施形態）
図１１は、本発明に係る投射型表示装置のさらに他の実施形態を示している。この実施形態は、自発光型のインテグラルフォトグラフィ装置を備えた３板式の投射型表示装置である。本実施形態の投射型表示装置１Ｄは、自発光型のインテグラルフォトグラフィ装置６ｒ，６ｇ，６ｂと、ダイクロイックプリズム２７と、投写レンズ８と、スクリーン９とを有する。
【００４７】
各インテグラルフォトグラフィ装置６ｒ，６ｇ，６ｂは、それぞれ、例えば図１０に示すように、有機ＥＬパネル４３と、視角方向規制手段としてのピンホール板２８とを有する。インテグラルフォトグラフィ装置６ｒに接続されたパネル駆動回路７ｒはＲ色に対応する光像を形成するように有機ＥＬパネル４３ｒを駆動する。また、インテグラルフォトグラフィ装置６ｇに接続されたパネル駆動回路７ｇはＧ色に対応する光像を形成するように有機ＥＬパネル４３ｇを駆動する。また、インテグラルフォトグラフィ装置６ｂに接続されたパネル駆動回路７ｂはＢ色に対応する光像を形成するように有機ＥＬパネル４３ｂを駆動する。
【００４８】
各インテグラルフォトグラフィ装置６ｒ，６ｇ，６ｂの光出射面に形成されたＲ，Ｇ，Ｂの各色光像はダイクロイックプリズム２７によって合成されて出射され、その合成光は投写レンズ８によって拡大されてスクリーン９上に投影される。
【００４９】
（その他の実施形態）
以上、好ましい実施形態を挙げて本発明を説明したが、本発明はその実施形態に限定されるものでなく、請求の範囲に記載した発明の範囲内で種々に改変できる。
【００５０】
例えば、図２、図６及び図７に示した各実施形態では視角方向規制手段としてマイクロレンズ１４を用いた。このマイクロレンズは、フライアイ・レンズ、すなわちハエの目レンズ、すなわち複眼レンズによって形成しても良いし、レンチキュラー・レンズ、すなわち、かまぼこ型レンズによって形成しても良い。つまり、マイクロレンズは、異なる場所にある視認対象物の中から、見る角度に応じて１つを選択して視認できるように機能するレンズであれば、どのような構造のレンズであっても良い。
【産業上の利用可能性】
【００５１】
本発明に係る投射型表示装置は、立体像を表示させたい場合に好適に用いられる。
【図面の簡単な説明】
【００５２】
【図１】本発明に係る投射型表示装置の一実施形態を示す側面図である。
【図２】図１の投射型表示装置で用いられるインテグラルフォトグラフィ装置をしめす斜視図である。
【図３】図１のインテグラルフォトグラフィ装置の光学特性と投写レンズの光学特性との関係を示す図である。
【図４】本発明に係る投射型表示装置の他の実施形態を示す側面図である。
【図５】インテグラルフォトグラフィ装置の変形例を示す斜視図である。
【図６】インテグラルフォトグラフィ装置の他の変形例を示す斜視図である。
【図７】インテグラルフォトグラフィ装置のさらに他の変形例を示す斜視図である。
【図８】視角方向規制手段の具体例を示す図である。
【図９】本発明に係る投射型表示装置のさらに他の実施形態を示す側面図である。
【図１０】図９の投射型表示装置で用いられるインテグラルフォトグラフィ装置を示す斜視図である。
【図１１】本発明に係る投射型表示装置のさらに他の実施形態を示す側面図である。
【符号の説明】
【００５３】
１Ａ，１Ｂ，１Ｃ，１Ｄ：投射型表示装置、  ２：光源、
３，３ａ，３ｂ：インテグレータレンズ、  ４：偏光変換素子、
６，６ｒ，６ｇ，６ｂ，６Ａ，６Ｂ，６Ｃ，６Ｄ：インテグラルフォトグラフィ装置、
７，７ｒ，７ｇ，７ｂ：パネル駆動回路、  ８：投写レンズ、  ９：スクリーン
１１：ランプ、  １２：放物面鏡、  １３：液晶パネル、
１４：マイクロレンズ（視角方向規制手段）、  １６：画素群、  ２１：光供給系、
２２：画像形成系、  ２３ａ，２３ｂ，２３ｃ，２３ｄ：反射鏡、
２４ａ，２４ｂ：ダイクロイックミラー、  ２６ａ，２６ｂ，２６ｃ：レンズ、
２７：ダイクロイックプリズム、  ２８：ピンホール板（視角方向規制手段）、
２９：ピンホール、  ３１：レンズ板、  ３２：ピンホール板、  ３３：レンズ、
３４：ピンホール、  ４３．有機ＥＬパネル、  Ａ：画素認識可能角度、
Ｂ：飲み込み角度、  Ｄ：表示用ドット、  Ｑ：画素、
【図１】
2005062626.tif 000003
【図２】
2005062626.tif 000004
【図３】
2005062626.tif 000005
【図４】
2005062626.tif 000006
【図５】
2005062626.tif 000007
【図６】
2005062626.tif 000008
【図７】
2005062626.tif 000009
【図８】
2005062626.tif 000010
【図９】
2005062626.tif 000011
【図１０】
2005062626.tif 000012
【図１１】
2005062626.tif 000013